(57)【要約】【課題】既存の買い物籠を無駄にすることなく、その買い物籠の収納容量を減らさずに商品が潰れるのを防止し、買い物籠に対する商品の出し入れの際の手間を少なくすることができるようにする。【解決手段】上面開口の収納部９を有する本体２に買い物籠１０１の側壁１０７，１０８に係脱自在なフック３ａ，３ｂ，３ｃ，３ｄを設けて補助買い物籠１を構成する。補助買い物籠１の収納部９の深さを買い物籠１０１の収納部１０９の深さの１／５以上１／２以下とした。この補助買い物籠１を買い物籠１０１に取り付ける。【選択図】    図２
2005035586.tif 000002
【特許請求の範囲】
【請求項１】
上面開口の収納部を有する本体と、
前記本体に設けられ買い物籠の側壁に係脱自在なフックと、
を備え、
前記収納部の深さが前記買い物籠の収納部の深さの１／５以上１／２以下である補助買い物籠。
【請求項２】
前記本体は、前記買い物籠の前記収納部に入る大きさに形成されており、
前記フックは、前記本体を構成する対向する一対の側壁の両方に設けられている請求項１記載の補助買い物籠。
【請求項３】
前記フックが設けられた一対の前記側壁は、前記買い物籠の前記側壁に平行に形成されている請求項２記載の補助買い物籠。
【請求項４】
前記フックは、前記本体の前記側壁に沿う位置と前記買い物籠の前記側壁に係脱自在となる位置との間で移動自在に設けられている請求項１，２，又は３記載の補助買い物籠。
【請求項５】
前記本体は、上側の鉛直投影面積に比べて下側の鉛直投影面積が小さい形状である請求項１又は２記載の補助買い物籠。
【発明の詳細な説明】
【０００１】
【発明の属する技術分野】
本発明は、小売店などで使用される買い物籠などに取り付ける補助買い物籠に関する。
【０００２】
【従来の技術】
一般に、スーパーマーケットやコンビニエンスストアなどの小売店には、顧客が購入する商品をレジまで運ぶための買い物籠が設置されている。
【０００３】
買い物籠に商品を入れる際に、例えば卵や豆腐などの潰れやすい商品の上に例えばペットボトルに入った飲料などの重たい商品を積み重ねた場合、潰れやすい商品が潰れてしまう。そこで、買い物籠に仕切を立設して収納スペースを左右に２分割するタイプの買い物籠が提案されている（例えば、特許文献１参照）。これにより、潰れやすい商品を重たい商品と分けて買い物籠に収納できる。
【０００４】
【特許文献１】
特開平７−４７０１０号公報
【０００５】
【発明が解決しようとする課題】
しかしながら、小売店で特許文献１のような買い物籠を導入する場合には、既存の買い物籠からの買い替えとなり、既存の買い物籠が無駄になってしまうという問題がある。
【０００６】
また、特許文献１のように収納スペースを左右に２分割するタイプの買い物籠では、潰れやすい商品が潰れるのを避けるため、分割した収納スペースのうちの一方に潰れやすい商品を入れその上には他の商品を積み重ねないという使用形態を想定しているため、潰れやすい商品の上方のスペースは使用されず、これにより、買い物籠の実質的な収納スペースの容量が減ってしまうという問題がある。
【０００７】
ところで、潰れやすい商品の潰れを防止する方法としては、顧客が買い物籠の中に重たい商品を入れる度に、既に買い物籠に入っている潰れやすい商品を取り出し、重たい商品を入れた後にその潰れやすい商品を入れ直すという、置き換え作業も行われている。しかしながら、この場合には、商品の置き換え作業が顧客にとって負担となる。
【０００８】
ここで、レジでの精算業務においてスーパーマーケットなどではキャッシャーは、顧客がレジカウンタに置いた買い物籠（以後、第１買い物籠という）から商品を取り出し、その商品に付された商品情報に対するスキャナの読み取り操作（以後、スキャンという）を行い、スキャン後の商品をスキャン後の商品を入れる為に予め用意した買い物籠（以後、第２買い物籠という）に入れるという作業を行う。
【０００９】
このとき、前述したように第１買い物籠の中で潰れやすい商品が一番上に置かれていると、まず、その潰れやすい商品からスキャンし、スキャン後の潰れやすい商品を第２買い物籠には入れずに一旦レジカウンタに置いておき、重たい商品スキャンが終わり重たい商品を第２買い物籠に入れた後に、つまり、最後に潰れやすい商品を第２買い物籠に入れることにより、潰れやすい商品を一番上に置いている。これにより、第２買い物籠においても、潰れやすい商品の潰れを防止している。しかしながら、第２買い物籠にスキャン後の商品を入れる際に、第２買い物籠へ入れる商品の順番の入れ替えが発生してしまい、キャッシャーにとって負担であるという問題がある。
【００１０】
さらに、この後、精算を済ませた顧客が第２買い物籠の中の商品を持ち帰り用のビニール袋に入れ替えるときも、第２買い物籠の中で一番上に置かれている潰れやすい商品を詰め替え用カウンタ上に取り出し、重たい商品をビニール袋に入れた後に、つまり最後に潰れやすい商品をビニール袋に入れることにより、潰れやすい商品を一番上に入れている。これによりビニール袋においても、潰れやすい商品の潰れを防止している。しかしながら、このように、精算後の商品を第２買い物籠からビニール袋に詰め替える際に、ビニール袋へ入れる商品の順番の入れ替えが発生してしまい、顧客にとって負担であるという問題がある。
【００１１】
本発明の目的は、既存の買い物籠を無駄にすることなく、その買い物籠の収納容量を減らさずに商品が潰れるのを防止し、買い物籠に対する商品の出し入れの際の手間を少なくすることができるようにすることである。
【００１２】
【課題を解決するための手段】
本発明は、上面開口の収納部を有する本体に買い物籠の側壁に係脱自在なフックを設けて補助買い物籠を構成した。前記収納部の深さを前記買い物籠の収納部の深さの１／５以上１／２以下とした。
【００１３】
【発明の実施の形態】
本発明の第一の実施の形態を図１ないし図５に基づいて説明する。ここで、図１は本実施の形態の補助買い物籠を示す斜視図、図２は買い物籠の外側に取り付けられた状態の補助買い物籠を示す斜視図、図３は買い物籠の内側に取り付けられた状態の補助買い物籠を示す斜視図である。
【００１４】
図１に示すように、本実施の形態の補助買い物籠１は、上面開口の本体２にフック３ａ，３ｂ，３ｃ，３ｄが取り付けられて構成され、図２及び図３に示すように、買い物籠１０１などに取り付けられて使用されるものである。
【００１５】
ここで、補助買い物籠１が取り付けられる買い物籠１０１を図２に基づいて説明する。買い物籠１０１の籠本体１０２は、長方形状の底壁１０４の縁から４面の側壁１０５，１０６，１０７，１０８が上方に立設され、上面が開口されて、外形が略長方体形状に形成されており、内部に上面開口の収納部１０９を形成している。この籠本体１０２は、上側の鉛直投影面積に比べて下側の鉛直投影面積が小さい形状に形成されており、買い物籠１０１同士を積み重ねることが可能となっている。以後、便宜上、籠本体１０２の長手方向を前後方向と呼び（縦方向とも呼ぶ）、籠本体１０２の短手方向を左右方向と呼ぶ（横方向とも呼ぶ）こととする。また、買い物籠１０１には、コの字形の一対の取っ手１１０，１１１が籠本体１０２の左右の側壁１０５，１０６に掛け渡された状態で左右の側壁１０５，１０６に回動自在に設けられている。このような構造の買い物籠１０１のうち広く普及している買い物籠１０１の収納部１０９のサイズは、縦５１０ｍｍ、横３６０ｍｍ、深さ２４０ｍｍである。
【００１６】
次に、補助買い物籠１について説明する。図１に示すように、補助買い物籠１の本体２は、長方形状の底壁４の縁から４面の側壁５，６，７，８が上方に立設され、上面が開口されて、外形が略長方体形状に形成されており、内部に上面開口の収納部９を形成している。この本体２は、上側の鉛直投影面積に比べて下側の鉛直投影面積が小さい形状に形成され、その大きさは、買い物籠１０１の収納部１０９に入る大きさである。収納部９の深さは、買い物籠１０１の収納部１０９の深さの１／５以上１／２以下に設定されている。
【００１７】
本体２の後側壁８の上端部には、フック３ａ，３ｂが設けられ、前側壁７の上端部には、フック３ｃ，３ｄが設けられている。フック３ａ，３ｂは、買い物籠１０１の前側壁１０７や後側壁１０８に係脱自在となる係脱位置（図１及び図２参照）と本体２の後側壁８に沿う収納位置（図３参照）との間で回動自在に後側壁８に支持されている。フック３ａ，３ｂは、収納位置では、後側壁８に形成された凹部１０に収納される。同様にフック３ｃ，３ｄは、買い物籠１０１の前側壁１０７や後側壁１０８に係脱自在となる係脱位置（図１及び図３参照）と本体２の前側壁７に沿う収納位置（図２参照）との間で回動自在に前側壁７に支持されている。フック３ｃ，３ｄは、収納位置では、前側壁７に形成された凹部１１に収納される。これらのフック３ａ，３ｂ，３ｃ，３ｄにより補助買い物籠１が買い物籠１０１に対して着脱自在となる。
【００１８】
補助買い物籠１の本体２の前側壁７と後側壁８との底壁４に対する角度は、買い物籠１０１の前側壁１０７の底壁１０４に対する角度（＝後側壁１０８の底壁１０４に対する角度）と同じである。これにより、補助買い物籠１がフック３ａ，３ｂ又はフック３ｃ，３ｄにより買い物籠１０１の前側壁１０７又は後側壁１０８に取り付けられた状態では、補助買い物籠１の前側壁７及び後側壁８は買い物籠１０１の前側壁１０７又は後側壁１０８に対して平行となる。
【００１９】
このような構成において、買い物の際には、補助買い物籠１を買い物籠１０１に取り付ける。補助買い物籠１の取り付けの態様としては、図２に示すような買い物籠１０１の外側に取り付ける態様と、図３に示すような買い物籠１０１の内側に取り付ける態様とがある。
【００２０】
補助買い物籠１を買い物籠１０１の外側に取り付ける場合には、補助買い物籠１のフック３ａ，３ｂを係脱位置に位置付けて、フック３ｃ，３ｄを収納位置に位置付けて、フック３ａ，３ｂを例えば買い物籠の前側壁１０７に引っ掛けて補助買い物籠１を買い物籠１０１に取り付ける。これにより、買い物籠１０１には、収納部９が付け加えられ、買い物籠１０１の収納スペースが拡大する。この状態で、顧客は、卵や豆腐などの潰れやすい商品を補助買い物籠１の収納部９に入れ、飲料などの重たい商品などを買い物籠１０１の収納部１０９に入れれば良い。従来の買い物籠１０１では潰れやすい物を潰れないように収納すると実質的に籠本体の収納容量が減ってしまっていたが、本実施の形態では、上述したように収納部１０９に加えて潰れやすい物を入れるための収納部９が付け加えられるので、籠本体１０２の収納容量を減らすことなく商品が潰れるのを防止することができる。
【００２１】
補助買い物籠１を買い物籠１０１の内側に取り付ける場合には、補助買い物籠１のフック３ｃ，３ｄを係脱位置に位置付けて、フック３ａ，３ｂを収納位置に位置付け、フック３ｃ，３ｄを例えば買い物籠の前側壁１０７に引っ掛けて補助買い物籠１を買い物籠１０１に取り付ける。これにより、買い物籠１０１の収納部１０９の一部を補助買い物籠１の収納部９が占めて、買い物籠１０１の収納スペースが上下２段構成となる。この状態で、顧客は、卵や豆腐などの潰れやすい商品を補助買い物籠１の収納部９に入れ、飲料などの重たい商品などを買い物籠１０１の収納部１０９に入れれば良い。このように、収納スペースが上下２段構成となるので、潰れやすい物と重たいものなどを分けて収納でき、潰れやすい物が潰れることを防止することができる。また、収納スペースが上下２段構成であることにより、商品が潰れることを防止できるとともに、収納部９全体に商品を入れることができるので、収納スペースを有効利用することができる。
【００２２】
以上のように商品を買い物籠１０１の収納部１０９及び補助買い物籠１の収納部９に分けて入れることができるので、従来行われていた既に買い物籠１０１に入っている潰れやすい商品を取り出し重たい商品を入れた後にその潰れやすい商品を入れ直すという置き換え作業を行う必要がなく、買い物籠１０１に商品を入れる際の顧客の手間を少なくすることができる。
【００２３】
ここで、この補助買い物籠１は、潰れやすい商品を収納する使用態様を想定しているので、収納部９の中に潰れやすい商品を積み重ねて収納することがないことから、収納部９の深さを買い物籠１０１の収納部１０９と同じ深さにする必要はない。つまり、補助買い物籠１の収納部９の深さは、買い物籠１０１の収納部１０９の深さよりも浅くて良い。
【００２４】
ここで、潰れやすい商品の大きいものの代表として卵を収納した卵パックが挙げられる。一般的な卵パックのサイズは、縦２４５ｍｍ、横１０５ｍｍ、高さ６５ｍｍである。この卵パックの高さ６５ｍｍは、買い物籠１０１収納部９の深さ２４０ｍｍの１／２よりも薄いので、補助買い物籠１の収納部９の深さを買い物籠１０１の深さを１／２とすることにより、卵パック全体が補助買い物籠１の収納部９に収まるので、安定した状態で卵パックを収納することができる。また、収納部９の深さを買い物籠１０１の収納部９の１／２以下とすることにより、補助買い物籠１を買い物籠１０１の内側に取り付けた場合でも、買い物籠１０１の収納部１０９において補助買い物籠１の下方に位置する収納スペースも収納部１０９の約１／２以上の深さが確保されるので、補助買い物籠１の下方の収納スペースにも十分に商品を収納することができる。
【００２５】
また、潰れやすい商品のうちの小さいものの代表として豆腐を収納した豆腐パックが挙げられる。一般的な豆腐パックのサイズは、縦１３０ｍｍ、横９５ｍｍ、高さ４５ｍｍである。この豆腐パックの高さ４５ｍｍは、買い物籠１０１の収納部の深さ２４０ｍｍの１／５弱であり、補助買い物籠１の収納部９の深さを買い物籠１０１の深さの１／５とすることにより豆腐パック全体が補助買い物籠１の収納部に収まり、安定した状態で豆腐パックを収納することができる。
【００２６】
このように補助買い物籠１の収納部９は、想定される収納商品に合わせて買い物籠１０１の収納部の１／５以上１／２以下の深さになるように形成すればよい。収納商品が多数想定できる場合には、収納部９の深さを買い物籠１０１の収納部の深さの１／２に設定して収納部９を形成することにより対応可能となる。
【００２７】
次に、レジでの精算業務においては、キャッシャーは、顧客がレジカウンタに置いた補助買い物籠１付きの買い物籠１０１（以後、第１買い物籠１０１という）から商品を取り出し、その商品に付された商品情報に対するスキャナの読み取り操作（以後、スキャンという）を行い、スキャン後の商品をスキャン後の商品を入れる為に予め用意した補助買い物籠１付きの買い物籠１０１（以後、第２買い物籠１０１という）に入れるという作業を行う。このとき、第１買い物籠１０１の収納部１０９に入っている商品を第２買い物籠１０１の収納部１０９に入れ、第一買い物籠１０１の補助買い物籠１の収納部９に入っている商品を第２買い物籠１０１の補助買い物籠１の収納部９に入れるようにする。これにより、第２買い物籠１０１においても、潰れやすい商品の潰れが防止されるとともに、従来行っていた第２買い物籠１０１へ入れる商品の順番の入れ替え作業が必要ないので、キャッシャーの商品の出し入れの際の手間を少なくすることができる。
【００２８】
次に、精算を済ませた顧客が補助買い物籠１付きの第２買い物籠１０１の中の商品を持ち帰り用のビニール袋などに入れ替える際にも、重たい商品と潰れやすい商品とが分別されて収納されているので、重たい商品からビニール袋に入れることができ、その後、最後に潰れやすい商品をビニール袋に入れることができる。これによりビニール袋においても、潰れやすい商品の潰れが防止される。これにより、従来行っていたビニール袋へ入れる商品の順番の入れ替え作業が必要ないので、顧客の商品の出し入れの際の手間を少なくすることができる。
【００２９】
また、補助買い物籠１は、買い物籠１０１に着脱自在であるので小売店に既にある買い物籠１０１に取り付けて使用できるので、既存の買い物籠１０１をそのまま使用することができ、これにより、商品の潰れを防止するために既存の買い物籠１０１を買い替える必要が無く、既存の買い物籠１０１が無駄にならない。
【００３０】
また、補助買い物籠１を買い物籠１０１の前後の側壁１０７，１０８の両方に取り付けて使用してもよい。これにより、買い物籠１０１のバランスがよくなる。
【００３１】
このように本実施の形態においては、本体２は、買い物籠１０１の収納部１０９に入る大きさに形成されており、フック３ａ，３ｂ，３ｃ，３ｄは、本体２を構成する対向する一対の側壁である前後の側壁７，８の両方に設けられていることにより、補助買い物籠１を買い物籠１０１の外側と内側とのどちらにも取り付けることができる。
【００３２】
また、本実施の形態においては、フック３ａ，３ｂ，３ｃ，３ｄが設けられた一対の側壁である前後の側壁７，８は、買い物籠１０１の側壁１０７（又は１０８）に平行に形成されていることにより、補助買い物籠１を買い物籠１０１の外側に取り付けた場合と内側に取り付けた場合とで、買い物籠１０１の側壁１０７（又は１０８）に対する補助買い物籠１の底壁４の角度が同一になり、これにより、補助買い物籠１を買い物籠１０１の外側に取り付けた場合と内側に取り付けた場合との両方で、補助買い物籠１の底壁４を買い物籠１０１の底壁１０４と平行、つまり、水平にすることができる。
【００３３】
また、本実施の形態においては、フック３ａ，３ｂ，３ｃ，３ｄは、本体２の側壁に沿う位置と買い物籠１０１の側壁に係脱自在となる位置との間で移動自在に設けられていることにより、使用しないフック３ａ，３ｂ，３ｃ，３ｄを本体２の側壁に沿わせることで、使用しないフック３ａ，３ｂ，３ｃ，３ｄに顧客が引っ掛かることが防止され、安全が確保されている。
【００３４】
次に、この補助買い物籠１の別の使用態様を図４及び図５に基づいて説明する。ここで、図４はショッピングカート２０１の外側に取り付けられた状態の補助買い物籠を示す斜視図、図５はショッピングカート２０１の内側に取り付けられた状態の補助買い物籠を示す斜視図である。
【００３５】
この補助買い物籠１は、図４及び図５に示すように、ショッピングカート２０１に取り付けて使用することができる。ここで、ショッピングカート２０１は、上面開口のカート本体２０２の下部に車輪２０３が回転自在に取り付けられて構成されている。カート本体２０２には、買い物籠１０１が入る大きさの上面開口の収納部２０４が形成されている。収納部２０４を形成するカート本体２０２の側壁２０５〜２０８は、買い物籠１０１の側壁１０７の厚さと略同じであり、フック３ａ，３ｂ，３ｃ，３ｄを引っ掛けることができる。このようなショッピングカート２０１のカート本体２０２の側壁２０５〜２０８に補助買い物籠１をフック３ａ，３ｂ又はフック３ｃ，３ｄにより取り付ける。なお、図４及び図５では、ショッピングカート２０１の前後の側壁２０７，２０８の両方に補助買い物籠１を取り付けた例を示している。
【００３６】
このように、本実施の形態の補助買い物籠１は、買い物籠１０１のみならずショッピングカート２０１にも使用でき、利便性がよい。
【００３７】
次に、本発明の第二の実施の形態を説明する。なお、第一の実施の形態と同じ部分は同一符号で示し説明も省略する。
【００３８】
本実施の形態の補助買い物籠１の本体２は、上側の鉛直投影面積に比べて下側の鉛直投影面積が小さい形状に形成されている。これにより、前後の側壁７，８は互いに平行ではない。
【００３９】
このように本実施の形態においては、本体２は、上側の鉛直投影面積に比べて下側の鉛直投影面積が小さい形状であることにより、補助買い物籠１同士を積み重ねることができる。これにより、買い物籠１０１から取り外した補助買い物籠１を置くためのスペースが小さくて済む。
【００４０】
【発明の効果】
本発明によれば、既存の買い物籠を無駄にすることなく、その買い物籠の収納容量を減らさずに商品が潰れるのを防止でき、買い物籠に対する商品の出し入れの際の手間を少なくすることができる。
【図面の簡単な説明】
【図１】本発明の第一の実施の形態の補助買い物籠を示す斜視図である。
【図２】買い物籠の外側に取り付けられた状態の補助買い物籠を示す斜視図である。
【図３】買い物籠の内側に取り付けられた状態の補助買い物籠を示す斜視図である。
【図４】ショッピングカートの外側に取り付けられた状態の補助買い物籠を示す斜視図である。
【図５】ショッピングカートの内側に取り付けられた状態の補助買い物籠を示す斜視図である。
【符号の説明】
１…補助買い物籠、２…本体、３ａ，３ｂ，３ｃ，３ｄ…フック、７…側壁、８…側壁、９…収納部、１０１…買い物籠、１０７…側壁、１０８…側壁、１０９…収納部
【図１】
2005035586.tif 000003
【図２】
2005035586.tif 000004
【図３】
2005035586.tif 000005
【図４】
2005035586.tif 000006
【図５】
2005035586.tif 000007